(57)【特許請求の範囲】
【請求項１】
内容物が収容される有底筒状の容器本体と、この容器本体の口部に装着され容器本体内の内容物を吐出する吐出器と、を備え、
前記吐出器が、前記容器本体の底部の内面上に開口する吸い上げパイプを備える吐出容器であって、
前記底部の内面には、前記吸い上げパイプの下端部が、その外周面との間に隙間を設けた状態で収容される窪み部が形成されるとともに、
前記底部の内面のうち、前記窪み部を回避した部分は、前記窪み部側に向かうに従い漸次、下方に向けて延在し前記窪み部の開口周縁部に連なる傾斜面とされ、
前記窪み部の底面には、前記吸い上げパイプの下端開口部を、その内側と前記窪み部内とを連通した状態で支持する支持突部が配設され、
前記支持突部の上端部は、径方向の内側から外側に向かうに従い漸次、下方に向けて延びる曲線状に形成され、前記吸い上げパイプの下端開口部内に挿入されていることを特徴とする吐出容器。
【請求項２】
前記容器本体は、内容物が充填される内容物収容部と、前記内容物収容部を径方向の外側から囲繞し、かつ下端縁が前記窪み部より下方に位置する外筒とにより二重筒状に形成されていることを特徴とする請求項１に記載の吐出容器。
【発明の詳細な説明】
【技術分野】
【０００１】
本発明は、吐出容器に関するものである。
【背景技術】
【０００２】
従来、内容物が収容される有底筒状の容器本体と、この容器本体の口部に装着され容器本体内の内容物を吐出する吐出器と、を備え、前記吐出器が、前記容器本体の底部の内面上に開口する吸い上げパイプを備える吐出容器が知られている。
この種の吐出容器として、例えば下記特許文献１に示されるような、底部の内面に凹凸部が形成され、この部分に、吸い上げパイプの下端開口部が突き当てられた構成が知られている。
【先行技術文献】
【特許文献】
【０００３】
【特許文献１】特開２００８−２３０６３２号公報
【発明の概要】
【発明が解決しようとする課題】
【０００４】
しかしながら、上述した従来の吐出容器では、容器本体内の内容物をより残量少なく吐出することについて改善の余地があった。
【０００５】
本発明は、このような事情に鑑みてなされたものであって、容器本体内の内容物をより残量少なく吐出することができる吐出容器を提供することを目的とする。
【課題を解決するための手段】
【０００６】
上記の目的を達成するために、この発明は以下の手段を提供している。
【０００８】
本発明に係る吐出容器は、内容物が収容される有底筒状の容器本体と、この容器本体の口部に装着され容器本体内の内容物を吐出する吐出器と、を備え、前記吐出器が、前記容器本体の底部の内面上に開口する吸い上げパイプを備える吐出容器であって、前記底部の内面には、前記吸い上げパイプの下端部が、その外周面との間に隙間を設けた状態で収容される窪み部が形成されるとともに、前記底部の内面のうち、前記窪み部を回避した部分は、前記窪み部側に向かうに従い漸次、下方に向けて延在し前記窪み部の開口周縁部に連なる傾斜面とされ、前記窪み部の底面には、前記吸い上げパイプの下端開口部を、その内側と前記窪み部内とを連通した状態で支持する支持突部が配設され、前記支持突部の上端部は、径方向の内側から外側に向かうに従い漸次、下方に向けて延びる曲線状に形成され、前記吸い上げパイプの下端開口部内に挿入されていることを特徴としている。
【０００９】
本発明に係る吐出容器では、吸い上げパイプの下端部が窪み部内に収容されている状態で、吸い上げパイプの下端開口部が支持突部に支持されるので、吸い上げパイプの下端部の外周面と窪み部の内周面との間に隙間を設けるとともに、吸い上げパイプの下端開口部内と窪み部内とを連通させた状態に確実に保持することができる。
これにより、底部の内面のうち、窪み部を回避した部分が、窪み部側に向かうに従い漸次、下方に向けて延在し前記窪み部の開口周縁部に連なる傾斜面とされていることから、容器本体内の内容物が残り少なくなったときに、窪み部に集まりやすくなることに相俟って、この容器本体内の内容物を残量少なく確実に吐出することができる。
また、本発明では、吸い上げパイプの下端部の水平方向の移動が抑制され、吸い上げパイプの外周面と窪み部の内周面との間の隙間を確保することができる。
【００１０】
また、本発明に係る吐出容器は、前記容器本体は、内容物が充填される内容物収容部と、前記内容物収容部を径方向の外側から囲繞し、かつ下端縁が前記窪み部より下方に位置する外筒とにより二重筒状に形成されていることが好ましい。
【００１１】
この場合には、この吐出容器の外観に影響を与えることなく、上下方向の高さ寸法を一定に保ったまま、内容物を収容する空間の体積（上下方向の高さ寸法等）を変更してその内容量を変更することができる。
【発明の効果】
【００１２】
本発明に係る吐出容器によれば、容器本体内の内容物をより残量少なく吐出することができる。
【図面の簡単な説明】
【００１３】
【図１】本発明の実施形態による吐出容器の構成を示す一部半断面とした縦断面図である。
【図２】図１に示す容器本体の縦断面図である。
【図３】図２に示す窪み部の底面を上から見た平面図である。
【図４】変形例による吐出容器の要部を示す縦断面図である。
【図５】図４に示す窪み部の底面を上から見た平面図である。
【発明を実施するための形態】
【００１４】
以下、本発明に係る吐出容器の実施形態について図面を参照して説明する。
【００１５】
図１に示すように、本実施形態の吐出容器１は、内容物が収容される有底筒状の容器本体２と、この容器本体２の口部２１に装着され容器本体２内の内容物を吐出する吐出器３と、吐出器３の上から着脱自在に被せられるオーバーキャップ４と、を備えている。
【００１６】
吐出器３は、容器本体２の口部２１に装着キャップ３５を介して装着されている。吐出器３は、図示しないステムを有する本体部３０と、押下ヘッド３１と、吸い上げパイプ３２と、を備えている。
【００１７】
ここで、本実施形態では、容器本体２における横断面の中央を通る軸線を容器軸Ｏとし、以下では容器軸Ｏに沿って押下ヘッド３１側を上側、吸い上げパイプ３２側を下側とする。また、容器軸Ｏに沿う方向を上下方向、容器軸Ｏ方向から見た平面視において、容器軸Ｏに直交する方向を径方向、容器軸Ｏ回りに周回する方向を周方向とする。
【００１８】
吐出器３の本体部３０には、押下ヘッド３１及び前記ステムに連係した空気用ピストン（図示省略）が内部に上下摺動自在に収容された空気用シリンダ３３と、押下ヘッド３１及び前記ステムに連係した液用ピストン（図示省略）が内部に上下摺動自在に収容された液用シリンダ３４と、を備えている。液用シリンダ３４の下端開口部の内側には、吸い上げパイプ３２の上端が嵌合されている。吸い上げパイプ３２の下端開口部３２ａは、容器本体２の底部２２の内面上に開口する。
【００１９】
前記ステムは、空気用シリンダ３３及び液用シリンダ３４に対して上方付勢状態で下方移動可能に立設されている。装着キャップ３５は、押下ヘッド３１を挿通する挿通孔（図示省略）が形成された天壁部３５ａを有し、上側が小径筒３５ｂ、下側が大径筒３５ｃとされた２段円筒状に形成された有頂筒状をなしている。大径筒３５ｃには、容器本体２の口部２１の雄ねじ部２１ａに螺合する雌ねじ部が形成されている。
【００２０】
押下ヘッド３１は、前記ステムの上端部に装着されている。押下ヘッド３１は、径方向の外側に向けて突出する吐出筒３６を備えている。吐出筒３６内は、前記ステム内に連通している。押下ヘッド３１及び前記ステムを一体に押し下げることで、前記ステムから吐出筒３６内に内容物が供給され吐出される。
【００２１】
オーバーキャップ４は、有頂筒状に形成され、天壁部の外周縁から装着キャップ３５の小径筒３５ｂの外側に嵌合する嵌合筒４１が下方に向けて延びている。
【００２２】
容器本体２は、内容物が充填される内容物収容部２０と、この内容物収容部２０を径方向の外側から囲繞し、かつ下端縁２６ａが容器本体２の底部２２（窪み部２３）より下方に位置する外筒２６とにより二重筒状に形成されている。図示の例では、外筒２６は内容物収容部２０と一体に形成された下端開口の筒状とされている。
底部２２の内面には、吸い上げパイプ３２の下端部が、その外周面３２ｂとの間に隙間を設けた状態で収容される窪み部２３が形成されている。つまり、吸い上げパイプ３２の下端部の外周面３２ｂと窪み部２３の内周面２３ｃとの間には、隙間Ｓが設けられている。
図２に示すように、底部２２の内面のうち、窪み部２３を回避した部分は、窪み部２３側に向かうに従い漸次、下方に向けて延在し窪み部２３の開口周縁部２３ａに連なる傾斜面２４とされている。
【００２３】
窪み部２３の底面２３ｂには、図１及び図３に示すように、吸い上げパイプ３２の下端開口部３２ａを、その内側と窪み部２３内とを連通した状態で支持する支持突部２５が配設されている。支持突部２５は、平面視で十字状に形成され、吸い上げパイプ３２の下端部を当接させた状態で支持している。
【００２４】
なお、吐出器３としては、例えば図１に示すようないわゆるポンプタイプの構成の他、エアゾールタイプ、スクイズタイプの構成などが挙げられる。
スクイズタイプとしては、容器本体の胴部を弾性変形可能に形成し、胴部をスクイズ変形することで、内容物を吸い上げパイプを通して吐出筒から吐出させるようにしてもよい。
【００２５】
以上説明した本実施形態による吐出容器１によれば、以下の作用効果を奏する。
図１に示すように、吐出容器１では、吸い上げパイプ３２の下端部が窪み部２３内に収容されている状態で、吸い上げパイプ３２の下端開口部３２ａが支持突部２５に支持されるので、吸い上げパイプ３２の下端部の外周面３２ｂと窪み部２３の内周面２３ｃとの間に隙間Ｓを設けるとともに、吸い上げパイプ３２の下端開口部３２ａ内と窪み部２３内とを連通させた状態に確実に保持することができる。
そのため、吐出容器１において内容物を吐出させる際には、オーバーキャップ４を取り外し、吐出器３の押下ヘッド３１を押し下げ操作すると、吸い上げパイプ３２によって下端開口部３２ａから容器本体２の窪み部２３内の内容物が吸い上げられ、ステムを通過して吐出筒３６より吐出される。
【００２６】
このように、本実施形態の吐出容器１では、底部２２の内面のうち窪み部２３の外周側に傾斜面２４が形成されていることから、容器本体２内の内容物が残り少なくなったときに、窪み部２３に集まりやすくなることに相俟って、この容器本体２内の内容物を残量少なく確実に吐出することができる。
【００２７】
また、本実施の形態では、内容物収容部２０が外筒２６によって径方向の外側から囲繞され、かつ外筒２６の下端縁２６ａが窪み部２３より下方に位置するように設けられているので、吐出容器１の外観に影響を与えることなく、上下方向の高さ寸法を一定に保ったまま、例えば内容物収容部２０の上下方向の高さ寸法を変更してその内容量を変更することができる。
【００２８】
また、本実施形態では、容器本体２の底部２２の傾斜面２４は、径方向の中央に向けて漸次、傾斜しているので、吸い上げパイプ３２の下端開口部３２ａ及び容器本体２の相対的な周方向の位置合わせが不要となる利点がある。
【００２９】
なお、本発明の技術範囲は、上記実施形態に限定されるものではなく、本発明の趣旨を逸脱しない範囲において、種々の変更を加えることが可能である。
【００３０】
例えば、前述の実施形態では、窪み部２３の底面２３ｂに設けられる支持突部２５上に吸い上げパイプ３２の下端部を当接させた状態で支持する構成としているが、このような構成であることに限定されることはない。例えば、図４及び図５に示すように、平面視で十字状の支持突部２５Ａの上端部２５ａが吸い上げパイプ３２の下端開口部３２ａ内に挿入された構成とすることも可能である。この支持突部２５Ａは、窪み部２３の内周面２３ｃに対して離間して設けられている。支持突部２５Ａの上端部２５ａは、径方向の内側から外側に向かうに従い漸次、下方に向けて延びる曲線状に形成されている。尚、支持突部を多段状に形成するとともにその上端部を小径部に形成し、当該小径部を吸い上げパイプ３２の下端開口部３２ａ内に挿入する等、その形状は適宜変更することができる。
この場合には、吸い上げパイプ３２の下端部の水平方向の移動が抑制され、吸い上げパイプ３２の外周面３２ｂと窪み部２３の内周面２３ｃとの間の隙間Ｓを確保することができる。
【００３１】
また、窪み部２３には、内周面２３ｃに周方向に間隔をあけて縦リブが設けられていてもよい。この場合、これら縦リブの内端部は、吸い上げパイプ３２の外周面３２ｂに当接する。そして、周方向に隣り合う縦リブ同士の間の隙間と吸い上げパイプ３２の内面とが連通している。
【００３２】
さらに、本実施形態では、内容物収容部２０が径方向の外側から外筒２６に囲繞された容器本体２とされているが、これに限定されることはなく、外筒２６を省略することも可能である。  
外筒２６を設けない場合には、容器本体２（内容物収容部２０）の底部２２から下方に脚部を設ければよい。前記脚部としては、内容物収容部２０と同径の円筒部、窪み部２３の外面から放射状に形成される板状リブ、周方向に間隔を空けて設けられた複数の凸リブ、等を単独で、あるいは組み合わせて適宜採用することができる。
【００３３】
また、吐出器３の押下ヘッド３１、空気用シリンダ３３、液用シリンダ３４、装着キャップ３５、及び吐出筒３６の形状や各部の寸法などの構成は、適宜変更することが可能である。
【００３４】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００３５】
１  吐出容器
２  容器本体
３  吐出器
２０  内容物収容部
２１  口部
２２  底部
２３  窪み部
２３ａ  開口周縁部
２３ｂ  底面
２３ｃ  内周面
２４  傾斜面
２５、２５Ａ  支持突部
２５ａ  上端部
２６  外筒
２６ａ  下端縁
３１  押下ヘッド
３２  吸い上げパイプ
３２ａ  下端開口部
３２ｂ  外周面
Ｏ  容器軸
Ｓ  隙間
【図１】
0006488092.tif 000002
【図２】
0006488092.tif 000003
【図３】
0006488092.tif 000004
【図４】
0006488092.tif 000005
【図５】
0006488092.tif 000006